(57)【要約】【課題】  操作性が優れ、簡易な構成からなる操作部を備えたコンバインなどの自走車両を提供すること。【解決手段】  走行装置３の上に前後進駆動用及び駐車ブレーキ２４ａ１の作動用の走行用変速装置２８と該走行用変速装置２８による走行装置３の前後進駆動操作用のＨＳＴ変速レバー１６と該レバー移動用のレバーガイド３７を有する操作パネル２２と該駐車ブレーキ作動用ペタル１７を備え、ＨＳＴ変速レバー１６の走行装置３の前後進駆動操作方向（前後方向）とは異なる方向（左右方向）へのレバーガイド３７における操作により駐車ブレーキ２４ａ１を解除することができる構成を備えた自走車両である。【選択図】  図６
2005329887.tif 000002
【特許請求の範囲】
【請求項１】
走行装置３の上に前後進走行用変速装置２８と、駐車ブレーキ２４ａ１と、走行用変速装置２８と、該走行用変速装置２８による走行装置の前後進駆動操作用のＨＳＴ変速レバー１６と、該レバー移動用のレバーガイド３７を有する操作パネル２２と、該駐車ブレーキ作動用ペタル１７を備えた自走車両において、
ＨＳＴ変速レバー１６の走行装置３の前後進駆動操作方向とは異なる方向へのレバーガイド３７における操作により駐車ブレーキ２４ａ１を解除する構成を備えたことを特徴とする自走車両。
【請求項２】
ＨＳＴ変速レバー１６を用いる駐車ブレーキ２４ａ１を解除する構成の他に、前記駐車ブレーキ２４ａ１を解除するレバー４６を設けたことを特徴とする請求項１記載の自走車両。
【請求項３】
ＨＳＴ変速レバー１６のレバーガイド３７における中立位置においてのみ、駐車ブレーキ２４ａ１を解除できる構成としたことを特徴とする請求項１又は２記載の自走車両。
【請求項４】
ＨＳＴ変速レバー１６の中立位置においてのみ、駐車ブレーキ２４ａ１の解除が行え、該駐車ブレーキ２４ａ１の解除操作はＨＳＴ変速レバー１６の左方向へのレバーガイド３７における移動操作により行う構成とすることを特徴とする請求項１ないし３のいずれかに記載の自走車両。
【請求項５】
ＨＳＴ変速レバー１６の中立位置においてのみ、駐車ブレーキ２４ａ１の解除ができ、かつ該駐車ブレーキ２４ａ１の解除操作は前後進駆動操作方向とは直交する方向へのレバーガイド３７における該レバー１６の移動操作により行い、駐車ブレーキ２４ａ１の解除を行うレバーガイド３７の溝の長さが前後進駆動操作を行うレバーガイド３７の溝の長さより短くしたことを特徴とする請求項１ないし４のいずれかに記載の自走車両。
【発明の詳細な説明】
【技術分野】
【０００１】
本発明は、植立穀稈を収穫するコンバインなどの自走車両の操作部に関し、特に操作性を高めた各種操作レバーを有する自走車両に関する。
【背景技術】
【０００２】
本発明の自走車両の代表例であるクローラを走行手段とする農業用のコンバインを例に、以下説明する。  
コンバインはクローラを構成する無限履帯の接地面積を広くし、水田など軟弱な圃場でも自由に走行して刈取作業などの農作業が可能であり、刈取装置で刈り取った穀稈は脱穀装置に送られて脱穀された後、グレンタンクに一時的に貯留される。グレンタンクに貯留されている穀粒はオーガからトラックなどに排出される。
【０００３】
上記コンバインの操縦席に隣接させて左右方向への旋回と刈取装置の昇降動作を行うパワステレバー、エンジンの動力を走行トランスミッションにより変速してクローラに伝達するための変速レバーなどが配置された操作パネルが設けられている。
【０００４】
また、操縦席の足下には駐車ブレーキ作動用のブレーキペタルを設けているが、該駐車ブレーキの解除用のレバーを前記操作パネルに配置している構成が知られている。
【特許文献１】特開平９−１８７１４５号公報
【発明の開示】
【発明が解決しようとする課題】
【０００５】
前記従来のコンバインの操作パネル以外の場所に駐車ブレーキ解除用のレバーが配置されていて、操作性に問題がある。
【０００６】
本発明の課題は操作性が優れ、簡易な構成からなるレバー操作が行える操作部を備えたコンバインなどの自走車両を提供することである。
【課題を解決するための手段】
【０００７】
本発明の上記課題は次の構成によって解決される。  
請求項１記載の発明は走行装置３の上に前後進走行用変速装置２８と、駐車ブレーキ２４ａ１と、走行用変速装置２８と、該走行用変速装置２８による走行装置の前後進駆動操作用のＨＳＴ変速レバー１６と、該レバー移動用のレバーガイド３７を有する操作パネル２２と、該駐車ブレーキ作動用ペタル１７を備えた自走車両において、ＨＳＴ変速レバー１６の走行装置３の前後進駆動操作方向とは異なる方向へのレバーガイド３７における操作により駐車ブレーキ２４ａ１を解除する構成を備えた自走車両である。
【０００８】
請求項１記載の発明によれば、駐車ブレーキ２４ａ１の作動用の専用の手動レバーがなくても、走行用変速装置２８による走行装置の前後進駆動操作用のＨＳＴ変速レバー１６を用いて、該レバー１６のレバーガイド３７の移動方向を前後進駆動操作のレバーガイド３７の移動方向とは異なる方向にしている。
【０００９】
請求項２記載の発明は、ＨＳＴ変速レバー１６を用いる駐車ブレーキ２４ａ１を解除する構成の他に、前記駐車ブレーキ２４ａ１を解除するレバー４６を設けた請求項１記載の自走車両である。
【００１０】
請求項２記載の発明によれば、請求項１記載の発明の作用に加えて、ＨＳＴ変速レバー１６を用いる駐車ブレーキ２４ａ１を解除する構成の他に、前記駐車ブレーキ２４ａ１を解除する専用のレバー４６を用いて、例えばそのレバー４６が車両から降りて操作できるものであれば、車両の外側から駐車ブレーキ２４ａ１を解除する操作ができる。
【００１１】
請求項３記載の発明は、ＨＳＴ変速レバー１６のレバーガイド３７における中立位置においてのみ、駐車ブレーキ２４ａ１を解除できる構成とした請求項１又は２記載の自走車両である。
【００１２】
請求項３記載の発明によれば、請求項１又は２記載の発明の作用に加えて、左右サイドクラッチ２４ａ２を切り、駐車ブレーキ２４ａ１を掛ける駐車ブレーキ構成で、ＨＳＴ変速レバー１６が中立位置にないとき、駐車ブレーキ２４ａ１を解除すると、急発進して危険であるが、ＨＳＴ変速レバー１６が必ず中立位置にないと駐車ブレーキ２４ａ１が解除できない構成であるため、誤操作による急発進がない。
【００１３】
請求項４記載の発明は、ＨＳＴ変速レバー１６の中立位置においてのみ、駐車ブレーキ２４ａ１の解除が行え、該駐車ブレーキ２４ａ１の解除操作はＨＳＴ変速レバー１６の左方向へのレバーガイド３７における移動操作により行う構成とする請求項１ないし３のいずれかに記載の自走車両である。
【００１４】
請求項４記載の発明によれば、請求項１ないし３のいずれかに記載の発明の作用に加えて、前方操作パネル２２ａのレバーガイド３７の形状が、駐車ブレーキ２４ａ１の解除時にＨＳＴ変速レバー１６を左方向へ動かすことで駐車ブレーキ２４ａ１を解除できる形状であるので、座席シート２７の左サイドに配置されているＨＳＴ変速レバー１６の左側には障害物が無く、駐車ブレーキ２４ａ１の解除をオペレータの左方向へのレバー操作で楽に行える。
【００１５】
請求項５記載の発明は、ＨＳＴ変速レバー１６の中立位置においてのみ、駐車ブレーキ２４ａ１の解除ができ、かつ該駐車ブレーキ２４ａ１の解除操作は前後進駆動操作方向とは直交する方向へのレバーガイド３７における該レバー１６の移動操作により行い、駐車ブレーキ２４ａ１の解除を行うレバーガイド３７の溝の長さが前後進駆動操作を行うレバーガイド３７の溝の長さより短くした請求項１ないし４のいずれかに記載の自走車両である。
【００１６】
請求項５記載の発明によれば、請求項１ないし４のいずれかに記載の発明の作用に加えて、ＨＳＴ変速レバー１６のレバーガイド３７での左右方向への移動操作との前後方向への移動操作とが互いに直交する方向への移動操作であるので、それぞれの方向への移動操作が容易に区別でき、また確実に行える。
【００１７】
また、図１６に示すようにＨＳＴ変速レバー１６による駐車ブレーキ解除用のガイド溝３７ｃの長さＣを該レバー１６の中立位置→前進位置への移動用のガイド溝３７ａの長さＡ及び中立位置→後進位置への移動用のガイド溝３７ｂの長さＢより短くしてある。これにより駐車ブレーキ２４ａ１の解除時のＨＳＴ変速レバー１６のストロークが少なくてすみ、操作性が向上する。
【発明の効果】
【００１８】
請求項１記載の発明によれば、駐車ブレーキ２４ａ１の解除時には駐車ブレーキ２４ａ１の作動用の手動レバーを設けないで、車両の前後進駆動操作用のＨＳＴ変速レバー１６を用いることにより、該レバー１６のレバーガイド３７の移動方向を車両の前後進駆動操作時における移動方向とは異なるようにした操作パネル２２を備えているので構成が比較的簡単になる。
【００１９】
請求項２記載の発明によれば、請求項１記載の発明の効果に加えて、ＨＳＴ変速レバー１６を用いる駐車ブレーキ２４ａ１を解除する構成の他に、前記駐車ブレーキ２４ａ１を解除する手動レバー４６を用いて、例えばそのレバー４６が車両から降りて操作できるものであれば、車両の外側から駐車ブレーキ２４ａ１を解除する操作ができ、操作性が従来より向上する。
【００２０】
請求項３記載の発明によれば、請求項１又は２記載の発明の効果に加えて、左右サイドクラッチ２４ａ２を切り、駐車ブレーキ２４ａ１を掛ける駐車ブレーキ構成で、ＨＳＴ変速レバー１６が中立位置にないとき、駐車ブレーキ２４ａ１を解除すると、急発進して危険であるが、ＨＳＴ変速レバー１６が必ず中立位置にないと駐車ブレーキ２４ａ１が解除できない構成であるため、誤操作による急発進がなく安全である。
【００２１】
請求項４記載の発明によれば、請求項１ないし３のいずれかに記載の発明の効果に加えて、座席シート２７の左サイドに配置されているＨＳＴ変速レバー１６の左側は障害物が無いので、駐車ブレーキ２４ａ１の解除をオペレータの左方向へのレバー操作で楽に行える。
【００２２】
請求項５記載の発明によれば、請求項１ないし４のいずれかに記載の発明の効果に加えて、ＨＳＴ変速レバー１６の左右の移動操作との前後の移動操作とが互いに直交する方向への移動操作であるので、それぞれの方向への移動操作が容易に区別でき、また確実に行え、駐車ブレーキ２４ａ１の解除時のＨＳＴ変速レバー１６のストロークが車両の前後進の場合のストロークより少なくてすみ、操作性が向上する。
【発明を実施するための最良の形態】
【００２３】
本発明の実施の形態を図面と共に説明する。  
図１は本発明の実施の形態の穀類の収穫作業を行うコンバインの左側面図を示し、図２は図１のコンバインの操縦席部分の平面図、図３は操縦席部分の側面図をそれぞれ示す。  なお、本明細書で、左側及び右側とはコンバインが前進する方向に向かっての方向をいい、前後とはコンバインの前進方向に向かって前方又は後方のことをいう。
【００２４】
図１などに示すコンバイン１の走行フレーム２の下部には、ゴムなどの可撓性材料を素材として無端帯状に成型した左右一対のクローラ４を持ち、乾田はもちろんのこと、湿田においてもクローラ４が若干沈下するだけで自由に走行できる構成の走行装置３を備え、走行フレーム２の前部には刈取装置６を搭載し、走行フレーム２の上部にはエンジン（図示せず）ならびに脱穀装置１５、操縦席２０およびグレンタンク３０を搭載する。
【００２５】
刈取装置６は、図示しない刈取昇降シリンダの伸縮作用により刈取装置６全体を昇降して、圃場に植生する穀稈を所定の高さで刈り取りができる構成としている。刈取装置６の前端下部に分草具７を、その背後に傾斜状にした図示しない穀稈引起し装置を、その後方底部には刈刃（図示せず）を配置している。刈刃と脱穀装置１５のフィードチェン１４の始端部との間に、図示しない前部搬送装置、扱深さ調節装置、供給搬送装置９（図１）などを、順次穀稈の受継搬送と扱深さ調節とができるように配置している。
【００２６】
コンバインの刈取装置６の作動は次のように行われる。まず、エンジンを始動して変速レバー１６をコンバイン１が前進するように操作し、刈取レバー１１と脱穀レバー１２により刈取・脱穀クラッチ（図示せず）を入り操作して、エンジン回転軸１９（図３）に固定されたプーリ２１とベルト２３から変速装置の入力プーリ３５を介して図示しない機体の回転各部を伝動しながらコンバインを前進走行させると、刈取、脱穀作業が開始される。
【００２７】
圃場に植立する穀稈は、刈取装置６の前端下部にある分草具７によって分草作用を受け、次いで穀稈引起し装置の引起し作用によって倒伏状態にあれば直立状態に引起こされ、穀稈の株元が刈刃に達して刈取られ、前部搬送装置に掻込まれて後方に搬送され、扱深さ調節装置と供給搬送装置９に受け継がれて順次連続状態で後部上方の脱穀装置１５に搬送される。
【００２８】
穀稈は供給搬送装置９からフィードチェン１４の始端部に受け継がれ、脱穀装置１５に供給される。脱穀装置１５では刈取穀稈が脱穀、数回選別されてグレンタンク３０へ搬送され、グレンタンク３０に一時貯留される。
【００２９】
脱穀装置１５の扱室（図示せず）の終端に到達した脱穀された残りの穀稈で長尺のままのものは、図示しない排藁チェーンおよび排藁穂先チェーンに挟持されて搬送され、脱穀装置１５の後部の藁用カッター（図示せず）に投入された後、切断され、圃場に放出される。
【００３０】
グレンタンク３０からはグレンタンク螺旋を駆動する螺旋駆動軸（図示せず）に排殻オーガ１８を連接し、グレンタンク３０内に貯留した穀粒を排出オーガ排出口からコンバイン１の外部に排出する。
【００３１】
また、パワステレバー１０は後側又は前側に傾倒すると入りになって刈取装置６を昇降するための昇降弁（図示せず）を切り替えるスイッチ（図示せず）を設けており、左側又は右側に傾倒すると入りになって操向電磁弁を切り替えるスイッチ（図示せず）をそれぞれパワステレバー１０の下部近くに設けている。
【００３２】
したがって、パワステレバー１０を前側又は後側に傾倒して図示しないスイッチを入りにすると、ソレノイドの励磁によって切り替えられた刈取昇降弁を通って昇降用油圧装置のシリンダの中に入り又はシリンダから出て行くオイルの圧力の増減作用により、シリンダ先端からのピストンの突出長さが伸縮して、刈取装置６を昇降する構成である。また、パワステレバー１０を左側又は右側に傾倒してスイッチを入りにすると、ソレノイドの励磁によって切り替えられた操向電磁弁を通って変速装置２４内に設けられた左側又は右側の操向クラッチ２４ａ２（図４）を入り切りし、機体の進行方向を左側又は右側に旋回する構成である。
【００３３】
操縦席２０にはグレンタンク３０の前方に設けたシート２７と、車体の進行方向に向かってシート２７の左側方の操作パネル２２と座席前方の操作パネル３１（図２）を設け、右側から乗り降りする構成としている。そして、シート２７の前方の操作パネル３１の左側部に表示部を設け、右端寄りにパワステレバ−１０を設けている。
【００３４】
また左側に位置する操作パネル２２は前後方向に前方パネル２２ａと後方パネル２２ｂに２分割され、操作パネル２２には、ＨＳＴ変速レバ−１６、刈脱操作レバ−１１、１２、などを設けている。
【００３５】
上記したように、操作パネル２２を２分割したことで簡単にパネル２２を外すことができ、レバー１１、１２、１６と該レバー１１、１２、１６で作動される装置とのリンク機構などのメンテナンスも容易になった。
【００３６】
また、前後の操作パネル２２ａ、２２ｂがぞれぞれ独立して開放できるので、それぞれ二つに分割された個々の操作パネル２２ａ、２２ｂ部分がコンパクトになり、製作コストを下げることができる。
【００３７】
なお、刈取レバー１１と脱穀レバー１２は次のように連係して回動される場合がある。すなわち、刈取レバー１１の前側に脱穀レバー１２の一部が係止されており、矢印Ａ方向（図３）に回動する。
【００３８】
後ろに倒してある刈取レバー１１を前方に回動させると刈取装置６が作動し、刈取レバー１１に係止された脱穀レバー１２も前方に回動して脱穀装置１５も作動する。一方、レバー１１、１２の両方が前方にある場合は刈取装置６と脱穀装置１５が共に作動中であるが、刈取レバー１１を後ろに向けて回動させると刈取装置６は作動停止する。このとき脱穀レバー１２はそのまま前側にあるので脱穀装置１５は作動状態を継続できる。また、脱穀レバー１２を後ろに向けて回動すると刈取レバー１１も後ろに向けて回動し、脱穀装置１５を作動停止すると同時に刈取装置６も作動停止する。
【００３９】
このように脱穀レバー１２は前方に移動するときだけ刈取レバー１１に係止する構成であるので、刈取装置６が作動する場合には必ず脱穀装置１５も作動し、また刈取装置６の作動停止中にも脱穀装置１５が作動可能とし、また、脱穀装置１５が作動停止すると刈取装置６も必ず作動停止し、さらに脱穀装置１５だけを作動させることができる。
【００４０】
そのため、刈取装置６が上昇して穀稈の刈取作業をしていない時などにも脱穀作業ができ、また刈取装置６が穀稈の刈取作業を始めると必ず脱穀装置１５が作動するので、刈り取った穀稈は必ず脱穀装置１５で脱穀される。
【００４１】
また、操作パネル２２を分割し、前方パネル２２ａには握り部１６ａを備えたＨＳＴ変速レバ−１６を配置し、後方パネル２２ｂには刈取レバー１１、脱穀レバー１２を配置したことで、レバー１１、１２に対してはレバーガイド３４を有する後方パネル２２ｂが対応し、また変速レバー１６に対してはレバーガイド３７を有する前方パネル２２ａが対応するため、これら操作部の組立を各パネル２２ａ、２２ｂ毎にそれぞれ別々に行え、組み立てが容易になり、レバー１１、１２、１６を傷つけることがなくなった。
【００４２】
従来は、単一の操作パネルに刈取レバー１１、脱穀レバー１２、及びＨＳＴ変速レバー１６を同時にそれぞれのレバーガイドに通しながら、操作パネル２２を組み立てていたので、組立が困難だっただけでなく、組立時に操作パネル２２のレバーガイドに各レバー１１、１２、１６を通すとき、ガイドでレバー１１、１２、１６を傷ける不具合があったが、上記したように本実施例ではこのような従来技術の不具合が無くなった。
【００４３】
また、従来は操縦席２７に座ったままで操作できる駐車ブレーキ２４ａ１の解除用に専用のレバーを設けていたが、本実施例ではＨＳＴ変速レバー１６を駐車ブレーキ解除用レバーとしても使用できるようにした。
【００４４】
図４には駐車ブレーキペタル１７と変速装置の駐車ブレーキの連動機構と変速レバー１６とその前後進方向への作動に連動して油圧無段変速装置（ＨＳＴ）２８の油圧ポンプ２８ａの斜板の傾斜角度を変更する構成を図示している。
【００４５】
図４の変速装置２４の伝動機構は走行伝動ケ−ス２５における伝動経路下手側から操向伝動部２４ａと中間伝動部２４ｂと副変速部２４ｃとカウンタ−部２４ｄ（入出力部２６内にある）と入出力部２６とを設け、エンジンからの駆動動力を入出力部２６からカウンタ−部２４ｄ、副変速部２４ｃ及び中間伝動部２４ｂを経由して操向伝動部２４ａに伝動する構成としており、該操向伝動部２４ａを切り替え操作することにより機体の進行方向を右側又は左側に旋回させることができる構成である。
【００４６】
操向伝動部２４ａには走行伝動ケ−ス２５の壁面と操向伝動部２４ａの回転軸との間に設けられた多板クラッチから成る駐車ブレーキ２４ａ１が設けられている。駐車ブレーキペタルの踏み込みで、前記ブレーキ用の多板クラッチを押圧して操向伝動部２４ａの回転軸の作動を不能にする方向に左右のシフタをそれぞれ移動させることでブレーキ２４ａ１が掛かる構成である。
【００４７】
油圧無段変速装置（ＨＳＴ）２８はケース３２の側方に突出している油圧入力軸３３の軸端部にエンジンからの駆動力の入力プーリ３５を着脱自在に取り付けているとともにケース３２の中に油圧ポンプ２８ａや回転可能に設けている出力軸を有する油圧モータ２８ｂ等を設けており、前記走行伝動ケース２５の右側部の上面と左側部の右横側面との間に形成された空間部に位置させて伝動ケース２５の左側部の右側面に着脱自在に取り付けている。
【００４８】
図５には変速レバー１６を用いる駐車ブレーキ２４ａ１（図４）の解除機構の説明図を示す。  
まず、駐車ブレーキ２４ａ１はブレーキペタル１７が先端に設けられた湾曲アーム３９の基部が回動自在になっており、さらに湾曲アーム３９の基部側には三角プレート４０が一体的に取り付けられている。該三角プレート４０の中間部には変速装置２４の駐車ブレーキ２４ａ１を作動させるワイヤ４１のインナー４１ａが連結しているので、ブレーキペタル１７を踏み込むと三角プレート４０の動きに連動してインナーワイヤ４１ａが引かれ、駐車ブレーキ２４ａ１が作動する。また、三角プレート４０の先端部はギア４０ａが設けられているので、三角プレート４０の回動後は該ギア４０ａがラチェット４３に係合してブレーキ状態を保持できる。
【００４９】
また、三角プレート４０の先端部ギア４０ａの動きに連動するラチェット４３は、その回動中心４３ａよりずれた位置にＨＳＴ変速レバー１６の前記ブレーキ解除の運動に連動するケーブル４４が連結しており、変速レバー１６が図５のブレーキ解除方向（矢印Ｏ）に引かれると、ラチェット４３が回動中心４３ａを回動軸として回動して、該ラチェット４３と三角プレート４０のギア４０ａとの係合が外れて駐車ブレーキ２４ａ１をブレーキ解除する方向に作動させる。
【００５０】
図６には変速レバー１６の操作パネル２２ａの拡大平面図を示すが、レバーガイド３７には車両の前進と後進時の変速レバー１６の前後方向の操作用の溝３７ａ，３７ｂに加えて駐車ブレーキ解除用の左右方向の溝３７ｃ〜３７ｆを４カ所設けた例である。
【００５１】
上記図４、図５に示すように、駐車ブレーキ２４ａ１の解除をＨＳＴ変速レバー１６の左右方向へのシフト操作により、駐車ブレーキ２４ａ１が解除できるので操作性が向上する。
【００５２】
また、図７のコンバインの前方部の要部左側面図と図８のコンバインの前方部の要部平面図に示すように、駐車ブレーキ２４ａ１は操縦者がコンバインを降りて、外側から操作できるように駐車ブレーキ操作用レバー４５を変速レバー１６の他に設けても良い。駐車ブレーキ操作用レバー４５を矢印Ｂ方向に手動操作することで駐車ブレーキ２４ａ１を作動させることができる。
【００５３】
また、コンバインの外側から手動で駐車ブレーキ２４ａ１を解除させる手動操作可能な駐車ブレーキ解除用レバー４６と該レバー４６とラチェット４３を連結するケーブル４２を設けることができる。駐車ブレーキ解除用レバー４６を矢印Ｃ方向に手動操作することで駐車ブレーキ２４ａ１を解除できる。
【００５４】
このようにコンバインの操縦席側とコンバインの外側の両方から駐車ブレーキ２４ａ１が解除できるので、駐車ブレーキ２４ａ１の操作性が向上する。また、駐車ブレーキ操作用レバー４５の操作をする同じ側から駐車ブレーキ２４ａ１の解除もできるので、駐車ブレーキ２４ａ１の解除時に操作席に上がってＨＳＴ操作レバーを操作する煩わしさが無い。
【００５５】
図９に示すようにＨＳＴ変速レバー１６の基部に設けた駐車ブレーキ２４ａ１の解除機構と前記ラチェット４３を接続する駐車ブレーキ解除用のケーブル４４は機体の前後方向に配索すると、駐車ブレーキ２４ａ１の解除時にＨＳＴ変速レバー１６と一体の前記ケーブル４４が前後方向に大きくストロークするが、ケーブル４４は機体の前後方向に配索されているのでコンバインの構成物に干渉することがない。
【００５６】
また、ＨＳＴ変速レバー１６のＨＳＴ２８との連動機構の斜視図を図１０に示し、正面図を図１１に示すが、ＨＳＴ変速レバー１６の前後方向への回動中心を正面視で左右方向に傾斜させた構成（図例は右方向に傾斜）で、ＨＳＴ変速アーム４７とＨＳＴコントロールアーム４８とを直線的に連結ロッド４９で連結している。このようにＨＳＴ変速アーム４７とＨＳＴコントロールアーム４８とを直線的に連結したため、ＨＳＴ変速アーム４７の操作時に発生する操作力を効率よくＨＳＴコントロールアーム４８に伝達できる。
【００５７】
従来は図１９に示すようにＨＳＴ変速アーム４７とＨＳＴコントロールアーム４８はカウンタアーム５０と連結ロッド５１を介したリンク系により連結していたので、構成が複雑になり、またリンク系にがたつきが発生し易くなるためＨＳＴ２８の中立位置の確保が安定しないことがあった。
【００５８】
しかし図１０、図１１に示す構成では、ＨＳＴ変速レバー１６の機体前後進方向への操作方向とＨＳＴコントロールアーム４８との操作方向とを一致させることができるため（図１０においてＨＳＴ変速レバー１６を前進方向へシフトした場合ＨＳＴコントロールアーム４８のアームが前進方向へ移動しないと機体が前進しない構成となっている）、ＨＳＴ変速レバー１６の中立位置の確保が安定するだけでなく、部品点数も少ないのでコストダウンが図れる。
【００５９】
また、図１２に側面図で示すようにＨＳＴ変速レバー１６の左右方向に動く回動中心１６ｂと、その構成部を覆う操作パネル２２ａの部分の側面視からの形状を凸部形状２２ａ１として、その他の操作パネル部分は平面形状として、操作パネル２２ａの高さを全体的には低くしてある。このため操作部のコンパクト化が図れる。
【００６０】
さらに、図１３の側面図に示すようにＨＳＴ変速レバー１６により走行方向を前後進方向に切り替える場合に、ＨＳＴ変速レバー１６の後進側の最高速レバー握り１６ａ位置をＨＳＴレバー回動中心の鉛直線Ｒより前方に位置させることにより、ＨＳＴレバー握り部１６ａのフルストローク間（Ｌ）を前傾軌跡とした。これは図１４の平面図に示すように、ＨＳＴレバー握り部１６ａが後進最高速レバー位置にあるときにはシート２７の左サイドに位置することになり、ＨＳＴ変速レバー１６の操作はそれから前方へ向けてストロークすることになる。そのため、操縦者はシート２７に着座してＨＳＴ変速レバー１６の操作を行う場合に、レバー操作がオペレータサイド位置から斜め前下がり方向となり、ＨＳＴ変速レバー１６の操作が容易となる。
【００６１】
図１３に示すように、エンジン回転軸１９からの駆動力が伝達されるＨＳＴ入力プーリ３５に冷却ファン５５を取り付け、冷却ファン５５の上方に機体前後方向に操作コントロールフレーム５６を配置し、操作コントロールフレーム５６の冷却ファン５５上部のみを冷却ファン５５を覆う形状で凸状とした。このような操作コントロールフレーム５６の構成により、操作パネル２２、ＨＳＴ変速レバー１６を支持するコントロールフレーム５６を比較的低く構成でき、操作パネル２２を利用する手動操作系をコンパクト化できる。
【００６２】
図１５に示すように操作コントロールフレーム５６の冷却ファン５５を覆う凸状のフレーム部分の幅Ｂを他のフレーム部分の幅Ａより広くして、この幅広部分Ｂを冷却ファン５５のダクトとして利用できるようにしたので、ＨＳＴ冷却ファン５５の送風ダクトを新たな部品として設ける必要がなく安価に製作できる。
【００６３】
図２、図１６に示す前方操作パネル２２ａには図６に示す前方操作パネル２２ａと異なり、ＨＳＴ変速レバー１６の中立位置においてのみ、ＨＳＴ変速レバー１６の左右方向の回動支点１６ｃを中心とした左右の移動操作により駐車ブレーキ２４ａ１を解除できるガイド溝３７ｃを備えた構成例を示す。このとき変速レバー１６の前進と後進は左右の移動操作に対して直交する方向への移動操作で行われることは図２に示す変速レバー１６の移動操作と同じである。
【００６４】
この場合は、伝動部２４ａの中央部の左右サイドクラッチ２４ａ２を切り、駐車ブレーキ２４ａ１を掛ける駐車ブレーキ構成で、ＨＳＴ変速レバー１６が中立位置にないとき、駐車ブレーキ２４ａ１を解除すると、急発進して危険であるが、ＨＳＴ変速レバー１６が必ず中立位置にないと駐車ブレーキ２４ａ１が解除できない構成であるため、誤操作による急発進がなく安全である。
【００６５】
図２に示す前方操作パネル２２ａの形状では、駐車ブレーキ２４ａ１の解除時にＨＳＴ変速レバー１６を左方向へ動かすことで駐車ブレーキ２４ａ１を解除できる。ＨＳＴ変速レバー１６は座席シート２７の左サイドに配置されており、ＨＳＴレバー左側は障害物が無いので、駐車ブレーキ２４ａ１の解除をオペレータの左方向へのレバー操作で楽に行える。
【００６６】
また、ＨＳＴ変速レバー１６の左右の移動操作との前後の移動操作とが互いに直交する方向への移動操作であるので、それぞれの方向への移動操作が容易にまた確実に行える。
【００６７】
図１６に示すようにＨＳＴ変速レバー１６による駐車ブレーキ解除用のガイド溝３７ｃの長さＣを該レバー１６の中立位置→前進位置への移動用のガイド溝３７ａの長さＡ及び中立位置→後進位置への移動用のガイド溝３７ｂの長さＢより短くしてある。これにより駐車ブレーキ２４ａ１の解除時のＨＳＴ変速レバー１６のストロークが少なくてすみ、操作性が向上する。  
また、中立位置の幅Ｄと駐車ブレーキ解除用のガイド溝幅Ｅとをほぼ同等の大きさにしてあるので、中立位置でのみ駐車ブレーキ２４ａ１の解除動作ができるため確実に中立位置で駐車ブレーキ２４ａ１が解除できる。
【００６８】
また、図１７に示すように前方操作パネル２２ａにはＨＳＴ変速レバー１６の駐車ブレーキ解除用ガイド溝３７ｃの幅を入り口程広くし、奥側ほど狭くしたテーパ形状としても良い。この場合には、ＨＳＴ変速変速レバー１６を中立位置にしながら駐車ブレーキ２４ａ１を解除する方向にレバー操作ができ、駐車ブレーキ解除時はＨＳＴ変速レバー１６は確実に中立位置になっている。
【００６９】
図１８には前方操作パネル２２ａの駐車ブレーキ解除用ガイド溝３７ｃの入り口部にＨＳＴレバーガイド溝のクランク部の左右操作時のレバー荷重より重い荷重でないとＨＳＴ変速レバー１６が通過できない抵抗体５７を設け、前記入り口部を狭くした構成を示す。抵抗体５７はバネ５７ａと該バネ５７ａで付勢される球体５７ｂから構成される。
【００７０】
この構成によると、ＨＳＴ変速レバー１６による駐車ブレーキ解除時にはレバー操作に荷重の変化を持たせることができるため、無意識に解除操作を行うことが無く安全である。
【産業上の利用可能性】
【００７１】
本発明はコンバインなどの自走車両の操縦席の近傍にある操作パネルに適用できる。
【図面の簡単な説明】
【００７２】
【図１】本発明の実施の形態の穀類の収穫作業を行うコンバインの左側面図である。
【図２】図１のコンバインの操縦席部分の平面概略図である。
【図３】図１のコンバインの操縦席部分の右側面図である。
【図４】図１のコンバインの駐車ブレーキペタルと変速装置の駐車ブレーキの連動機構と変速レバーとその前後進方向への作動に連動する油圧回路図である。
【図５】図１のコンバインの変速レバーを用いる駐車ブレーキの解除機構の説明図である。
【図６】図１のコンバインの変速レバーの一部操作パネルの拡大平面図である。
【図７】図１のコンバインの前方部の要部左側面図である。
【図８】図１のコンバインの前方部の要部平面面図である。
【図９】図１のコンバインの前方部の要部左側面図である。
【図１０】図１のコンバインのＨＳＴ変速レバーのＨＳＴとの連動機構の斜視図である。
【図１１】図１のコンバインのＨＳＴ変速レバーのＨＳＴとの連動機構の平面図である。
【図１２】図１のコンバインの前方部の要部左側面図である。
【図１３】図１のコンバインの前方部の左側面図である。
【図１４】図１のコンバインの前方部の平面図である。
【図１５】図１のコンバインの前方部の要部左側面図である。
【図１６】図１のコンバインの前方操作パネルの変形例の平面図である。
【図１７】図１のコンバインの前方操作パネルの変形例の平面図である。
【図１８】図１のコンバインの前方操作パネルの変形例の平面図である。
【図１９】従来のコンバインのＨＳＴ変速レバーのＨＳＴとの連動機構の斜視図である。
【符号の説明】
【００７３】
１  コンバイン                  ２  走行フレーム
３  走行装置                    ４  クローラ
６  刈取装置                    ７  分草具
９  供給搬送装置                １０  パワステレバー
１１  刈取レバー                １２  脱穀レバー
１４  フィードチェン            １５  脱穀装置
１６  ＨＳＴ変速レバー          １６ａ  変速レバーグリップ
１６ｂ  回動中心                １６ｃ  回動支点
１７  ブレーキペタル            １８  排殻オーガ
１９  エンジン回転軸            ２０  操縦席
２１  プーリ                    ２２、３１  操作パネル
２２ａ  前方パネル              ２２ａ１  凸部形状
２２ｂ  後方パネル              ２３  ベルト
２４  変速装置                  ２４ａ  操向伝動部
２４ａ１  駐車ブレーキ         ２４ａ２  サイドクラッチ
２４ｂ 中間伝動部             ２４ｃ  副変速部
２４ｄ  カウンタ−部           ２５  走行伝動ケ−ス
２６  入出力部                ２７  シート
２８  変速装置（ＨＳＴ）       ２８ａ  油圧ポンプ
２８ｂ  油圧モータ             ３０  グレンタンク
３２  ＨＳＴケース             ３１  操作パネル
３３  油圧入力軸               ３４、３７  レバーガイド
３５  入力プーリ               ３７ａ〜３７ｆ  ガイド溝
３９  湾曲アーム                ４０  三角プレート
４０ａ  ギア                    ４１  ワイヤ
４１ａ  インナーワイヤ          ４２、４４  ケーブル
４３  ラチェット                ４３ａ  回動中心
４５  駐車ブレーキ操作用レバー  ４６  駐車ブレーキ解除用レバー
４７  ＨＳＴ変速アーム          ４８  ＨＳＴコントロールアーム
４９  連結ロッド                ５０  カウンターアーム
５１  連結ロッド                ５５  冷却ファン
５６  操作コントロールフレーム  ５７  抵抗体
５７ａ  バネ                    ５７ｂ  球体
【図１】
2005329887.tif 000003
【図２】
2005329887.tif 000004
【図３】
2005329887.tif 000005
【図４】
2005329887.tif 000006
【図５】
2005329887.tif 000007
【図６】
2005329887.tif 000008
【図７】
2005329887.tif 000009
【図８】
2005329887.tif 000010
【図９】
2005329887.tif 000011
【図１０】
2005329887.tif 000012
【図１１】
2005329887.tif 000013
【図１２】
2005329887.tif 000014
【図１３】
2005329887.tif 000015
【図１４】
2005329887.tif 000016
【図１５】
2005329887.tif 000017
【図１６】
2005329887.tif 000018
【図１７】
2005329887.tif 000019
【図１８】
2005329887.tif 000020
【図１９】
2005329887.tif 000021